(57)【要約】【課題】測定、および／又は、報告により生じる端末負荷の軽減、および／又は、必要性の低い情報の報告の削減をしつつ、無線ネットワーク側で必要な情報を収集することができる技術を提供する。【解決手段】無線端末は、無線ネットワークへ、Radio Link Failureに関する測定情報を保持していることを示す情報を送信する手段と、Radio Link Failureに関する測定情報を保持していることを示す情報を送信した後に、無線ネットワークから、報告要求を受信する手段と、報告要求に応じて、Radio Link Failureに関する測定情報を送信する手段と、を備える。【選択図】図１
2020025316.tif 000002
【特許請求の範囲】
【請求項１】
無線ネットワークへ、Radio Link Failureに関する測定情報を保持していることを示す情報を送信する手段と、
前記Radio Link Failureに関する測定情報を保持していることを示す情報を送信した後に、前記無線ネットワークから、報告要求を受信する手段と、
前記報告要求に応じて、前記Radio Link Failureに関する測定情報を送信する手段と、
を備える無線端末。
【請求項２】
前記無線ネットワークへの前記Radio Link Failureに関する測定情報を保持していることを示す情報の送信は、RRCメッセージを用いて行われる
請求項１に記載の無線端末。
【請求項３】
前記Radio Link Failureに関する測定情報は、前記無線端末の位置情報を含む
請求項１又は請求項２に記載の無線端末。
【請求項４】
前記無線ネットワークから、Radio Link Failureに関する測定設定を受信する手段と、
前記測定設定に基づいてRadio Link Failureに関して測定する測定手段と、
を備える請求項１から請求項３のいずれかに記載の無線端末。
【請求項５】
無線端末から、Radio Link Failureに関する測定情報を保持していることを示す情報を受信する手段と、
前記Radio Link Failureに関する測定情報を保持していることを示す情報を受信した後に、前記無線端末へ、報告要求を送信する手段と、
送信した前記報告要求に応じた、前記Radio Link Failureに関する測定情報を受信する手段と、
を備える無線ネットワーク。
【請求項６】
前記Radio Link Failureに関する測定情報を保持していることを示す情報の受信は、RRCメッセージを用いて行われる
請求項５に記載の無線ネットワーク。
【請求項７】
前記Radio Link Failureに関する測定情報は、前記無線端末の位置情報を含む
請求項５又は請求項６に記載の無線ネットワーク。
【請求項８】
前記無線端末におけるRadio Link Failureに関する測定のための、Radio Link Failureに関する測定設定を前記無線端末へ送信する手段を備える
請求項５から請求項７のいずれかに記載の無線ネットワーク。
【請求項９】
無線ネットワークへ、Radio Link Failureに関する測定情報を保持していることを示す情報を送信し、
前記Radio Link Failureに関する測定情報を保持していることを示す情報を送信した後に、前記無線ネットワークから、報告要求を受信し、
前記報告要求に応じて、前記Radio Link Failureに関する測定情報を送信する、
無線端末の通信方法。
【請求項１０】
前記無線ネットワークへの前記Radio Link Failureに関する測定情報を保持していることを示す情報の送信は、RRCメッセージを用いて行われる
請求項９に記載の通信方法。
【請求項１１】
前記Radio Link Failureに関する測定情報は、前記無線端末の位置情報を含む
請求項９又は請求項１０に記載の通信方法。
【請求項１２】
前記無線ネットワークから、Radio Link Failureに関する測定設定を受信し、前記測定設定に基づいてRadio Link Failureに関して測定する
請求項９から請求項１１のいずれかに記載の通信方法。
【請求項１３】
無線端末から、Radio Link Failureに関する測定情報を保持していることを示す情報を受信し、
前記Radio Link Failureに関する測定情報を保持していることを示す情報を受信した後に、前記無線端末へ、報告要求を送信し、
送信した前記報告要求に応じた、前記Radio Link Failureに関する測定情報を受信する、
無線ネットワークの通信方法。
【請求項１４】
前記Radio Link Failureに関する測定情報を保持していることを示す情報の受信は、RRCメッセージを用いて行われる
請求項１３に記載の通信方法。
【請求項１５】
前記Radio Link Failureに関する測定情報は、前記無線端末の位置情報を含む
請求項１３又は請求項１４に記載の通信方法。
【請求項１６】
前記無線端末におけるRadio Link Failureに関する測定のための、Radio Link Failureに関する測定設定を前記無線端末へ送信する
請求項１３から請求項１５のいずれかに記載の通信方法。
【発明の詳細な説明】
【技術分野】
【０００１】
本発明は、無線端末、無線ネットワーク、無線端末の通信方法及び無線ネットワークの通信方法に関する。
【背景技術】
【０００２】
3GPP（3rd Generation Partnership Project）では、オペレータによる走行試験（Drive-test）にかかるオペレーションコスト（ＯＰＥＸ）を削減するため、従来Drive-testで収集していた情報あるいはそれに類似した情報を無線端末に測定・報告させることが検討されている（非特許文献１）。この検討の最終目的は、走行試験の実行を最小化すること（Minimization of Drive-Tests: MDT、走行試験の代替（Drive Test Substitution）とも呼ばれる。）である。MDTの検討において、どのように無線端末に測定させ、測定した結果あるいは過去の測定結果のログをどのように報告させるかが議論されており、現在、周期的な方式とイベントトリガの方式の２通りが規定されている。なお、無線端末による「測定」には、ある状況を「検出」する動作も含む。
【０００３】
周期的な方式は、無線ネットワーク（例えば、無線基地局）が予め測定周期、および／又は報告周期を無線端末に通知しておき、無線端末はそれらに応じて測定、および／又は報告を行う。ここで、周期的な測定としては、周期的な下りパイロット信号の品質測定（Periodical downlink pilot measurements）がある。
【０００４】
非特許文献１の技術では、無線端末が周期的にサービングセルの下りパイロット信号の受信品質測定（Periodical downlink pilot measurements）を行い、周期的に測定結果を報告する。ここで、パイロット信号の受信品質測定とは、RSRP（Reference Signal Received Power）、RSRQ（Reference Signal Received Quality）、CPICH RSCP（Common Pilot Channel Received Signal Code Power）、CPICH Ec/No（Ec:received energy per chip, No:  Noise power density）、などを測定することに相当する。
【０００５】
非特許文献１の詳細を3GPP LTE（Long Term Evolution）を例に図２０を参照して説明する。
【０００６】
無線端末（UE: User Equipment）は、無線基地局（eNB: enhanced Node B）に自身がサポートしている機能を通知する（UE capability report）。
【０００７】
無線ネットワークの中の上位局（EPC: Evolved Packet Core、例えば NM: Network Manager）はeNBに測定方針（Measurement policy）を通知し（policy indication）、eNBは該policyに従いUEに測定および報告の指示を出す（Measurement logging and reporting configuration）。ここでは、周期T1で測定を、周期T2で報告を行うものとする。
【０００８】
UEは該指示に従い周期T1で下りパイロット信号の受信品質測定（例えば、RSRP）と測位を行い、測定および測位結果をログとして保持し（logging）、周期T2で該ログをeNBに報告する（Measurement report）。eNBはUEからの報告を、さらに上位のNWへ報告する（Log report）。
【０００９】
以降、同様に、測定・測位〜ログ〜報告の一連の動作を繰り返す。
【００１０】
ここで、周期T1/T2の経過判定には、例えばタイマーを用いる。また、UEは、例えばeNBから指示された場合、該一連の動作を終了する。
【００１１】
尚、サービングセルだけでなく周辺セルについても、周期的に下りパイロット信号の受信品質測定を行わせる場合もある。
【００１２】
一方、イベントトリガの方式は、無線ネットワーク（例えば、無線基地局）が予め測定、および／又は、報告のトリガとなる条件を無線端末に通知しておき、無線端末はその条件を満たした場合に測定、および／又は、報告を行う。ここで、トリガとなる条件としては、例えば報知チャネル受信誤り（Broadcast Channel Failure）、ページングチャネル受信誤り（Paging Channel Failure）、サービングセルの受信品質が所定閾値よりも劣化（Serving Cell becomes worse than threshold）、余り送信電力が所定の閾値より小さい（Transmit power headroom becomes less than threshold）、ランダムアクセスの失敗（Random access failure）などがある（非特許文献２）。なお、無線端末は、必要に応じてトリガがかかった時刻の情報も合わせて報告する。
【００１３】
さらに、測位機能を有する無線端末には、周期的あるいはトリガがかかった時点で測位も行わせ、位置情報を報告させる。
【００１４】
非特許文献２の技術では、無線端末がイベントトリガで測定（と測位）を行い、測定（と測位）の結果をログとして保有し、イベントトリガで報告を行う。ここで、測定のトリガがかかる条件を、ページングチャネル受信誤り（Paging Channel Failure）とし、このとき無線端末はサービングセルの下りパイロット信号の受信品質測定を行う。また、報告のトリガがかかる条件を、ログが所定量溜まった時点とし、このとき無線端末は無線ネットワークにログを報告する。
【００１５】
非特許文献２の技術の詳細を3GPP LTEを例に図２１を参照して説明する。
【００１６】
UEは、eNBに自身がサポートしている機能を通知する（UE capability report）。
【００１７】
EPC（例えば NM）は、eNBに測定方針（Measurement policy）を通知し（policy indication）、eNBは該policyに従いUEに測定および報告の指示を出す（Measurement logging and reporting configuration）。ここでは、測定のトリガをページングチャネル受信誤りとし、報告のトリガをログの量（ログに使用している端末のメモリ量）が所定値に到達した時点とする。
【００１８】
UEは周期的にページングチャネルを受信しており、ページングチャネル受信誤り（Paging Channel failure）が発生すると、該指示に従いサービングセルの下りパイロット信号の受信品質測定（例えば、RSRP）と測位を行い、測定および測位結果をページングチャネル受信誤り発生の時刻と共にログとして保持する（logging）。そして、ログの量が所定値に達した場合、該ログをeNBに報告する（Measurement report）。eNBはUEからの報告を、さらに上位のNWへ報告する（Log report）。
【００１９】
以降、同様に、測定・測位〜ログ〜報告の一連の動作を繰り返す。
【００２０】
ここで、UEは、例えばeNBから指示された場合、該一連の動作を終了する。
【００２１】
なお、測定のトリガ発生時にサービングセルだけでなく周辺セルについても、下りパイロット信号の受信品質測定を行わせる場合もある。
【先行技術文献】
【非特許文献】
【００２２】
【非特許文献１】3GPP TR36.805v1.2.0（インターネット＜http://www.3gpp.org/ftp/Specs/html-info/36805.htm＞）
【非特許文献２】3GPP R2-094291 （インターネット＜http://www.3gpp.org/ftp/tsg_ran/WG2_RL2/TSGR2_67/Docs/R2-094191.zip＞）
【発明の概要】
【発明が解決しようとする課題】
【００２３】
上述した技術では、無線端末は無線ネットワークが指示した通りに測定・報告を行う。しかし、MDTのための測定・報告は、基本的に無線ネットワークが無線端末に期待するサポート機能であり、無線端末からみれば余分な動作とも考えられる。そのため以下のような問題点が予想される。
【００２４】
非特許文献１のような周期的な測定・報告を行う場合、無線端末は常に指定されたタイミングで測定・報告を行うため、本来該無線端末が送信する必要がない情報を送信することによるバッテリ消費が生じ、特にバッテリ残量が少ない場合に端末負荷が大きくなる。また、測位誤差が大きい場合、位置情報の信頼性が低いために報告された情報が無線ネットワーク側で有効に利用することができない可能性があり、結果的に無線端末に不必要な負荷を与えてしまうことも問題となる。
【００２５】
また、非特許文献２のようなイベントトリガで測定・報告を行う場合、例えば、ページングチャネル受信誤りが起き易い環境にいる無線端末ほど、頻繁に測定・測位および報告することになる。そのため、上述のようにバッテリ残量が少ない無線端末がそのような環境にいる場合、端末負荷が大きくなる。また、ページングチャネル受信誤りが起こるような環境は通信品質が悪く、ログの報告に大きな無線リソースを必要とするため端末負荷が大きくなり、問題となる。
【００２６】
そこで、本発明は上記課題に鑑みて発明されたものであって、その目的は、測定・測位、および／又は、報告により生じる端末負荷の軽減、および／又は、必要性の低い情報の報告の削減をしつつ、無線ネットワーク側で必要な情報を収集することができる無線端末、無線ネットワーク、無線端末の通信方法及び無線ネットワークの通信方法を提供することにある。
【課題を解決するための手段】
【００２７】
本発明の一態様は、無線ネットワークへ、Radio Link Failureに関する測定情報を保持していることを示す情報を送信する手段と、前記Radio Link Failureに関する測定情報を保持していることを示す情報を送信した後に、前記無線ネットワークから、報告要求を受信する手段と、前記報告要求に応じて、前記Radio Link Failureに関する測定情報を送信する手段と、を備える無線端末である。
【００２８】
本発明の一態様は、無線端末から、Radio Link Failureに関する測定情報を保持していることを示す情報を受信する手段と、前記Radio Link Failureに関する測定情報を保持していることを示す情報を受信した後に、前記無線端末へ、報告要求を送信する手段と、送信した前記報告要求に応じた、前記Radio Link Failureに関する測定情報を受信する手段と、を備える無線ネットワークである。
【００２９】
本発明の一態様は、無線ネットワークへ、Radio Link Failureに関する測定情報を保持していることを示す情報を送信し、前記Radio Link Failureに関する測定情報を保持していることを示す情報を送信した後に、前記無線ネットワークから、報告要求を受信し、前記報告要求に応じて、前記Radio Link Failureに関する測定情報を送信する、無線端末の通信方法である。
【００３０】
本発明の一態様は、無線端末から、Radio Link Failureに関する測定情報を保持していることを示す情報を受信し、前記Radio Link Failureに関する測定情報を保持していることを示す情報を受信した後に、前記無線端末へ、報告要求を送信し、送信した前記報告要求に応じた、前記Radio Link Failureに関する測定情報を受信する、無線ネットワークの通信方法である。
【発明の効果】
【００３１】
本発明によれば、測定・測位、および／又は、報告により生じる端末負荷の軽減、および／又は、必要性の低い情報の報告の削減をしつつ、無線ネットワーク側で必要な情報を収集することができる。
【図面の簡単な説明】
【００３２】
【図１】図１は本実施の形態の機能構成図である。
【図２】図２は第１の実施の形態の具体的な動作を説明する為のシーケンス図である。
【図３】図３は第２の実施の形態における無線通信システムの構成図である。
【図４】図４は無線端末（UE）３０のブロック図である。
【図５】図５は無線基地局（eNB）３１のブロック図である。
【図６】図６はNM３２のブロック図である。
【図７】図７は第２の実施の形態の具体的な動作を説明する為のシーケンス図である。
【図８】図８は第２の実施の形態の具体的な動作を説明する為の別のシーケンス図である。
【図９】図９は無線端末（UE）３０の動作フローチャートである。
【図１０】図１０は無線基地局（eNB）３１の動作フローチャートである。
【図１１】図１１は第３の実施の形態の動作を説明するシーケンス図である。
【図１２】図１２は無線端末（UE）３０の動作フローチャートである。
【図１３】図１３は無線基地局（eNB）３１の動作フローチャートである。
【図１４】図１４は第４の実施の形態の動作を説明するシーケンス図である。
【図１５】図１５は無線端末（UE）３０の動作フローチャートである。
【図１６】図１６は無線基地局（eNB）３１の動作フローチャートである。
【図１７】図１７は第５の実施の形態の具体的な動作を説明する為のシーケンス図である。
【図１８】図１８は第５の実施の形態の変形例の具体的な動作を説明する為のシーケンス図である。
【図１９】図１９は第６の実施の形態における無線通信システムの構成図である。
【図２０】図２０は本発明に関連する技術を説明するための図である。
【図２１】図２１は本発明に関連する技術を説明するための図である。
【発明を実施するための形態】
【００３３】
本発明の実施の形態を説明する。
【００３４】
本実施の形態の特徴は、無線端末が自身のステータスを無線ネットワークに通知し、無線ネットワークが通知された該ステータスに従い無線端末による測定および／又は測定結果の記録である測定ログの報告を制御することである。
【００３５】
ここで、ステータスとは、無線端末による測定及び測定結果の記録である測定ログの報告の少なくとも一方に関連するステータスであり、無線端末の端末状態や、測定ログの収集状況などを含む概念である。なお、以下において該ステータスを、簡略のため、“測定ステータス”と記載する。また、無線端末の端末状態には、無線端末のバッテリ残量（バッテリ残量の絶対値、量子化値、バッテリ残量に予め対応づけたインデックス、バッテリのメモリ量など）や、無線端末の位置情報（GPS, Cell, TA: Tracking Area等、屋外／屋内の情報、あるいは、その他位置情報検出手段（e.g. OTDOA: Observed Time Difference Of Arrival方式）により取得した位置情報）、通信品質（e.g. RSRP, RSRQ, CPICH RSCP, CPICH Ec/No）、移動速度（移動速度の絶対値、量子化値、移動速度に予め対応付けたインデックス、予め規定した移動速度のレベルなど）、GPS電波の受信強度などがある。
【００３６】
また、測定ログの収集状況には、測定ログの種類（例えば、予め規定したインデックス、カテゴリ等）や、測定ログの量（測定回数、端末のメモリ使用量（UE memory usage）など）、測定ログのサマリー（例えば、測定ログの種類、該測定ログの種類それぞれの測定回数、測定した時刻の情報や測定した位置の情報（GPS, Cell, TA: Tracking Area）等、あるいは、屋外／屋内の情報など）、移動速度、測位性能情報（測位誤差や測位精度等）などがあるが、これらに限定されない。
【００３７】
ここで、屋外／屋内の情報は、例えば、GPS電波などの位置情報取得に用いる電波の受信強度が所定の値以上か未満か、HNB(Home NodeB)或いはHeNB(Home eNodeB)と呼ばれる宅内小型基地局に接続しているかどうか（PCI: Physical Cell IDなどで検出可）、などにより取得可能であると考えられる。また、移動速度は、加速度センサ等を搭載して実際に測定可能な場合や、ハンドオーバ回数（又は頻度）あるいはセル再選択回数（又は頻度）に基づいて推測する場合が考えられる。
【００３８】
尚、無線端末が測定ログとして結果を保有する測定（あるいは検出）対象は、周期的な下りパイロット信号の品質測定（Periodical downlink pilot measurements）や、報知チャネル受信誤り（Broadcast Channel Failure）、ページングチャネル受信誤り（Paging Channel Failure）、サービングセルの受信品質が所定の閾値よりも劣化したこと（Serving Cell becomes worse than threshold）、余り送信電力が所定の閾値より小さいこと（Transmit power headroom becomes less than threshold）、ランダムアクセスの失敗（Random access (RA) failure）、無線リンク切断（Radio Link Failure: RLF）などがある。また、報知チャネル受信誤り（Broadcast Channel Failure）、ページングチャネル受信誤り（Paging Channel Failure）、サービングセルの受信品質が所定の閾値よりも劣化したこと（Serving Cell becomes worse than threshold）、余り送信電力が所定の閾値より小さいこと（Transmit power headroom becomes less than threshold）、ランダムアクセスの失敗（RA failure）、無線リンク切断（RLF）の場合には、自セル(serving cell)および／又は隣接セル（Neighbouring cell(s)）の通信品質（例えば、RSRP, RSRQ, CPICH RSCP, CPICH Ec/No）も取得することも考えられる。さらに、無線端末による測定（あるいは検出）するすべて（或いは一部）の項目に対して、該測定（あるいは検出）を行った位置の情報、時刻の情報も一緒に記録することも考えられる。なお、これらはあくまで例であり、本発明の適用対象はこれらに限定されない。
【００３９】
一方、無線端末が測定ログ報告を行うトリガとして、絶対時刻（Absolute time based）、無線ネットワーク（例えば、無線基地局）からの要求時（オンデマンド）（On demand）、周期的なタイマー満了（Periodical timer based）、端末メモリ使用量（ログの量）（UE memory usage based）、端末の位置（Location based）、上記の組み合わせ（Combined triggers）、などがあるが、これらに限定されない。
【００４０】
また、無線端末は、予め無線ネットワークから通知された測定又は報告期間、あるいは、測定回数又は報告回数を満足した場合、又は無線ネットワークから指示された場合、測定および報告の動作を終了するようにしてもよい。
【００４１】
さらに、無線ネットワークとは、該無線ネットワークの中でも上位の中核ネットワーク（EPC: Evolved Packet Core、又はCN: Core Network）と、下位の基地局制御局（RNC: Radio Network Controller）、及び／又は、無線基地局（eNodeB,eNB、又はNodeB,NB、又はBTS等と表記）から構成される。中核ネットワークには、NM（Network Manager）、および／又は、DM（Device Manager）、および／又は、OMC（Operation and Maintenance Center）等が含まれるが、これらに限定はされない。
【００４２】
なお、以下では、特に区別して詳しく説明する場合を除き、測定あるいは検出、それに関連して実行する情報の取得動作、およびそれらに準ずる動作をまとめて、「測定」と記載（定義）する。また、無線端末が、該広義の「測定」によって取得し、記録（保有）している情報である測定情報をまとめて「測定ログ」と定義する。また、測定情報の収集と言った場合、該測定情報の取得すなわち測定の動作と、該測定により取得した情報の記録（保有）の動作をまとめて指す。
【００４３】
図１は本実施の形態の機能構成図である。
【００４４】
図１に示す如く、本実施の形態の無線通信システムは、無線ネットワークが必要とする情報を、無線端末に測定・報告させることにより収集する無線通信システムであって、無線端末１（UE）と、無線ネットワーク２とを有する。
【００４５】
無線端末１（UE）は、記録／報告能力メモリ１１（Logging/ reporting capability memory）と、端末状態／ログ状況報告機能１２（UE condition/ logging status reporting function）と、測定および測定結果記録機能１３（Measurement logging function）と、測定報告機能１４（Measurement reporting function）とを有する。
【００４６】
無線ネットワーク２は、OAM（Operation・Administration・Maintenance）方針およびOAM要求の実施機能２１（OAM policy & requirement enforcement function）と、ログ保存機能２２（Log storage）とを有する。
【００４７】
本実施の形態の無線通信システムでは、まず、無線端末１が記録能力および報告能力に関する端末能力報告（UE capability report）を行う。ここで行う端末能力報告は、無線端末１が固有に備える機能（例えば、通信品質の測定機能やGPS機能の有無、あるいはそれらに関する詳細情報）を通知するものである。そして、無線ネットワーク２は、該端末能力報告（UE capability report）を参考に、その無線端末１の測定方法又は測定結果の記録方法（Measurement and logging configuration）や、報告方法（Reporting configuration）を決定し、無線端末１に指示する。
【００４８】
無線端末１は、指示された測定方法および記録方法に従い、測定を実施して測定結果を記録する。その後、無線端末１は、指示された報告方法に従い、無線ネットワーク２に測定結果の記録（測定ログ）の報告（Measurement log report）を行う。尚、無線端末１がログとして保有する測定（あるいは検出）対象としては、周期的な下りパイロット信号の品質の測定（Periodical downlink pilot measurements）、報知チャネル受信誤り（Broadcast Channel Failure）、ページングチャネル受信誤り（Paging Channel Failure）、サービングセルの受信品質が所定の閾値よりも劣化（Serving Cell becomes worse than threshold）、余り送信電力が所定の閾値より小さい（Transmit power headroom becomes less than threshold）、ランダムアクセスの失敗（Random access failure）、無線リンク切断（Radio Link Failure: RLF）などがある。
【００４９】
本実施の形態では、さらに、無線端末１が所定タイミングで、上述した測定ステータス（Measurement status）を無線ネットワーク２に報告する（Measurement status report）。尚、測定ステータス報告（Measurement status report）をするタイミングであるが、端末能力報告（UE capability report）と同時又はその直後、あるいは、測定又は報告のトリガがかかった時点、あるいは、測定ステータス報告用の所定のイベントが発生した時点、あるいは、予め無線ネットワークから指定されたタイミング、などが考えられる。尚、報告のトリガがかかった時点での測定ステータスの報告（Measurement status report）を行う場合、測定ステータス（Measurement status report）の報告を測定ログ報告（Measurement log report）前に行ってもよいし、測定ステータス（Measurement status report）の報告と測定ログ報告（Measurement log report）とを同時に行ってもよい。
【００５０】
なお、測定ステータス報告用の所定のイベントは、測定ログ報告用のイベントと同じでも良いし、独自に設定されても良い。
【００５１】
但し、測定ステータス報告（Measurement status report）をするトリガは、これらに限定はされない。例えば、無線端末１が測定ステータス（Measurement status report）を通知するトリガとなる条件として、絶対時刻（Absolute time based）や、無線ネットワークからの要求時（オンデマンド）（On demand）、周期的なタイマー満了（Periodical timer based）、端末メモリ使用量（ログの量）（UE memory usage based）、端末の位置（Location based）、これらの組み合わせ（Combined triggers）などが考えられる。尚、これらのトリガとなる条件は、無線ネットワーク２が無線端末１の測定方法又は測定結果の記録方法の設定指示（Measurement and logging configuration）や、報告方法の設定指示（Reporting configuration）等を通知する際に、これらの通知に含めても良いし、他の方法により通知しても良い。また、無線端末にトリガとなる条件を予め設定しておいても良い。
【００５２】
無線ネットワーク２は、報告された測定ステータス（Measurement status report）に基づいて、無線端末における測定又は報告の負荷が過剰とならないように、必要に応じて、無線端末１における測定方法および記録方法の再設定指示（Measurement and logging re-configuration）、および／又は、無線端末１の報告方法の再設定指示（Reporting re-configuration）を行う。つまり、測定ステータスは、上述した測定方法又は測定結果の記録方法の設定指示（Measurement and logging configuration）や、報告方法の設定指示（Reporting configuration）等の再設定を目的として無線ネットワーク２に送信される。具体的には、測定ステータスは、無線ネットワーク２に、測定方法又は測定結果の記録方法の設定指示（Measurement and logging configuration）や、報告方法の設定指示（Reporting configuration）等の再設定の要否を判断させるために無線ネットワーク２に送信される。このように、無線端末１が測定ステータスを無線ネットワーク２に送信することによって、無線ネットワーク２が無線端末の状況や無線端末による情報収集に関する状況を考慮することができる。
【００５３】
なお、該再設定指示では、該設定指示で通知したパラメータの少なくとも１つの値の変更、該設定指示で通知していない新規パラメータの追加、測定および／又は報告の中止、のいずれかの指示を含むことが考えられる。あるいは、該設定指示で通知された指示に関連する新規メッセージの通知なども考えられる。
【００５４】
これにより、測定、該測定結果の記録、および／又は、報告により生じる端末負荷の軽減、および／又は、必要性の低い情報の報告の削減をしつつ、無線ネットワーク側で必要な情報を収集することができる。
【００５５】
なお、上述の無線端末から無線ネットワークへ送信されるメッセージや、無線ネットワークから無線端末に送信されるメッセージは、ＲＲＣ（Radio Resource Control）シグナリングや、ＭＡＣ（Medium Access Control）シグナリングで実現可能であるが、これに限定はされない。
【００５６】
ここで、測定ステータスの内容と、測定および／又は報告の制御法の関係としては、以下のような例が考えられ、これらの方法により端末負荷を軽減しつつ、無線ネットワーク側で必要な情報を収集することができる。
【００５７】
・測定ステータス＝バッテリ残量のとき、周期的な測定・報告においては、バッテリ残量が少ない場合、測定・報告の周期を長くする。あるいは、バッテリ残量が所定の閾値以上になるまで測定・報告させない。一方、イベントトリガの測定・報告においては、バッテリ残量が少ない場合、報告トリガをかかりにくくする。あるいは、バッテリ残量が所定の閾値以上になるまで報告させない。周期的およびイベントトリガの両方に共通して、所定期間経過後もバッテリ残量が所定の閾値以上にならなければ測定を中止し、測定ログを廃棄させる方法も考えられる。
【００５８】
・測定ステータス＝位置情報のとき、周期的な測定・報告においては、無線ネットワーク側で情報が必要なエリアの外にいる場合、測定・報告の周期を長くする。イベントトリガの測定・報告においては、無線ネットワーク側で情報が必要なエリアの外にいる場合、測定トリガおよび／又は報告トリガをかかりにくくする、などの方法が考えられる。
【００５９】
・測定ステータス＝通信品質のとき、周期的な測定・報告においては、通信品質が低い場合、測定・報告の周期を短くする。イベントトリガの測定・報告においては、通信品質が低い場合、測定・報告のトリガをかかり易くする、などの方法が考えられる。
【００６０】
・測定ステータス＝移動速度のとき、周期的な測定・報告においては、移動速度が遅い場合、測定・報告の周期を長くする。イベントトリガの測定・報告においては、移動速度が遅い場合、測定・報告のトリガをかかりにくくする、などの方法が考えられる。
【００６１】
・測定ステータス＝ＧＰＳ電波の受信強度のとき、周期的な測定・報告においては、受信強度が弱い場合、測定・報告の周期を長くする。イベントトリガの測定・報告においては、受信強度が弱い場合、測定・報告のトリガをかかりにくくする、などの方法が考えられる。
【００６２】
・測定ステータス＝ログの種類のとき、周期的およびイベントトリガの測定・報告に共通して、無線ネットワーク側でその時点で必要としている（優先度の高い）種類のログだけを報告させる、方法が考えられる。
【００６３】
・測定ステータス＝ログの量（端末のメモリ使用量）のとき、周期的な測定・報告において、ログの量が多い場合、測定周期を長くする、あるいは、報告周期を短くする。イベントトリガの測定・報告においては、ログの量が多い場合、測定トリガをかかりにくくする、あるいは、報告トリガをかかり易くする、などの方法が考えられる。
【００６４】
・測定ステータス＝ログのサマリーのとき、周期的およびイベントトリガの測定・報告に共通して、優先度の高い種類で、特定の位置や時刻で取得したログだけを報告させる、方法が考えられる。
【００６５】
・測定ステータス＝測位誤差（測位精度）のとき、周期的な測定・報告において、誤差が大きい（精度が低い）場合、測定・報告の間隔を長くする。イベントトリガの測定・報告においては、誤差が大きい（精度が低い）場合、測定・報告トリガをかかりにくくする、などの方法が考えられる。
【００６６】
・測定ステータス＝ログの種類とバッテリ残量のとき、周期的な測定・報告において、バッテリ残量が少ない場合、優先度の低い種類のログの測定・報告周期を長くする。イベントトリガの測定・報告においては、バッテリ残量が少ない場合、優先度の高い種類のログだけを報告させる、などの方法が考えられる。
【００６７】
ただし、上記の制御は、例であり、本発明を用いて可能な制御はこれらに制限されない。
【００６８】
以下、具体的な実施の形態を説明する。
＜第１の実施の形態＞
図２は第１の実施の形態の具体的な動作を説明する為のシーケンス図である。本実施の形態では、無線端末1は基本的に、無線ネットワーク2から通知される測定情報の収集方法、および報告方法の設定に従って実行するものとする。
【００６９】
無線ネットワーク（NW）２は、無線端末（UE）1に、測定情報の収集方法、および測定情報（のログ）の報告方法に関する設定情報を通知する（Step 000）（Measurement, reporting and logging configuration）。無線端末（UE）1は、該設定情報に従い、測定情報の収集を行う（Step 001）（Measurement logging when triggered）。無線端末（UE）1は、周期的あるいはイベントトリガのいずれかの方式により、測定ステータスを無線ネットワーク（NW）2に報告する（Step 002）（Measurement status report）。無線ネットワーク（NW）2は、該測定ステータスを基に、該設定情報の再設定の必要性を判断し（Step 003）（Re-config decision）、必要と判断した場合には測定情報の収集および報告に関する設定について再設定した設定情報を無線端末（UE）1に通知する（Step 004）（Measurement, reporting and logging reconfiguration）。無線端末（UE）1は、再設定された設定情報を基に、測定情報の収集および報告を無線ネットワーク（NW）2に行う（Step 005）（Measurement log report）。
【００７０】
このように、無線ネットワーク（NW）が無線端末（UE）の状態や収集状況などを考慮することで、無線端末（UE）に過剰な負荷をかけずに、欲しい情報を収集することができる。ここで、無線ネットワーク（NW）は、収集した情報を用いて、例えば無線ネットワークを構成するパラメータの最適化などを行うことができる。
【００７１】
なお、本実施例における動作を行う無線ネットワーク（NW）のノードとしては、例えば基地局制御局（RNC）、無線基地局（NB/eNB/BTS）、NM、DMなどが考えられるが、これらに限定されない。
【００７２】
以下、さらに具体的な実施の形態を説明する。
＜第２の実施の形態＞
第２の実施の形態を説明する。第２の実施の形態では、3GPP LTE （Long Term Evolution）のシステムを想定した場合について説明する。
【００７３】
図３は、第２の実施の形態における無線通信システムの構成図である。
【００７４】
NM（Network Manager）３２は、無線基地局（eNB）３１に、端末による測定、測定結果の記録、該記録の報告の方針（Policy indication）を通知する。この方針のターゲットとしては、例えば、走行試験の最小化（MDT: Minimization of Drive Test。走行試験の代替（Drive Test Substitution）とも呼ばれる）などが考えられる。
【００７５】
無線基地局（eNB）３１は、測定、測定結果の記録、該記録の報告の方針（Policy indication）に基づいて、無線端末（UE）３０に、測定、記録、報告方法を含む設定情報（Measurement, logging and reporting configuration）を通知する。
【００７６】
無線端末（UE）３０は、測定結果の記録（測定ログ）、および／又は、測定ステータス（Measurement status report）を無線基地局（eNB）３１に報告する。
【００７７】
無線基地局（eNB）３１は、無線端末（UE）３０から報告された測定ログ全て、あるいは該測定ログの一部を、上位のNM３２に報告する（Log report）。
【００７８】
次に、無線端末（UE）３０の構成を説明する。図４は無線端末（UE）３０のブロック図である。
【００７９】
送信器３０１又は受信器３０２は、無線基地局との間の信号の送受信を行う。
【００８０】
信号処理部３０３は、送信信号の生成・受信信号の復調を行う。
【００８１】
通信制御部３０５は、信号処理部３０３への送信信号生成や情報復元などの指示を行う。
【００８２】
端末能力記憶部３０８は、該端末の測定や測位、報告に関わる能力などについて記憶している部分で、必要に応じて適宜読み出される。
【００８３】
測定部３０４は、無線基地局から指定された対象を測定あるいは検出する。
【００８４】
記憶部３０７は、測定部３０４で測定あるいは検出された情報を記憶しておき、必要に応じて読み出される。
【００８５】
測位部３０９では、無線基地局３１から指定された対象を測定部３０４で測定した際に測位を行う。ここで、測位は、GPS等による位置検出だけでなく、無線端末がいるエリア情報（cell, TA等）の読み出し、屋外か屋内かの情報の取得、その他の位置情報取得方法（e.g. OTDOA方式）による位置情報の検出なども含まれる。
【００８６】
報告制御部３０６では、無線基地局３１から指定された、あるいは予め規定された条件を満たした場合に記憶していた測定情報や位置情報を無線基地局３１へと報告する指示を出す。
【００８７】
続いて、無線基地局（eNB）３１の構成を説明する。図５は無線基地局（eNB）３１のブロック図である。
【００８８】
受信器４０２又は送信器４０１は、無線端末との間の信号の送受信を行う。
【００８９】
信号処理部４０３は、送信信号の生成・受信信号の復調を行う。
【００９０】
通信制御部４０５は、信号処理部への送信信号生成や情報復元などの指示を行う。
【００９１】
端末管理部４０７は、複数の無線端末それぞれの状態を個別に管理している。
【００９２】
インタフェース４０６は、上位局NM３２との間で情報の送受信を行う。
【００９３】
端末報告記憶部４０４は、無線端末３０から報告された測定情報などを保存しておく部分で、保存されて測定情報などは、必要に応じて上位局NM３２へインタフェース４０６を介して報告される。
【００９４】
測定・報告制御部４０８は、上位局NMから指定されるポリシーに基づいて無線端末による測定・報告を制御する部分で、本実施の形態では、さらに、無線端末３０からの端末状態や収集状況の報告を考慮して測定・報告の制御を行う。
【００９５】
続いて、NM３２の構成を説明する。図６はNM３２のブロック図である。
【００９６】
OAM管理部５０１は、無線ネットワーク全体のオペレーション・アドミニストレーション・メンテナンスを行う。
【００９７】
通信制御部５０２は、インタフェースを介した他の無線ネットワークノード、例えば無線基地局との情報の送受信の制御を行う。
【００９８】
端末測定管理部５０４は、収集が必要な情報の決定、および該収集のためのポリシーを決定し、インタフェース５０３を介して無線基地局へと通知する。
【００９９】
端末報告記憶部５０５は、無線端末から報告された測定情報を記憶しておき、必要に応じて読み出される。読み出された測定情報（測定ログ）は無線ネットワークの最適化などに使用される。
【０１００】
次に、上述のように構成された無線システムの動作を説明する。
【０１０１】
図７は第２の実施の形態の具体的な動作を説明する為のシーケンス図である。本実施の形態では、無線端末（UE）３０による測定、報告が無線基地局（eNB）３１から通知されるタイマーに基づいて周期的に行われるものとする。
【０１０２】
尚、以下の説明では、測定ステータス報告（Measurement status report）をするトリガを、測定ログ報告のトリガがかかるタイミング、つまり、測定ログ報告用のタイマーが切れた時点とし、無線端末（UE）３０のバッテリ残量が所定値未満の場合、測定及び／又は報告の周期を長くする例を説明する。
【０１０３】
まず、無線端末（UE）３０は、端末能力報告（UE capability report）を行う（Ｓｔｅｐ  １００）。
【０１０４】
NM３２は、無線基地局（eNB）３１に測定方針（Measurement policy）を通知する（policy indication）（Ｓｔｅｐ  １０１）。
【０１０５】
無線基地局（eNB）３１は、該policyに従い、測定方法および報告方法の設定の指示（Measurement logging and reporting configuration）を、無線端末（UE）３０に出す（Ｓｔｅｐ  １０２）。この時、無線基地局（eNB）３１が測定する測定周期Tm（Msmnt interval Tm）のタイマー値（timer value）と、ログを報告する報告周期Tr（Report interval Tr）のタイマー値（timer value）とを送る。
【０１０６】
無線端末（UE）３０は、指示された測定方法および報告方法に従い、通知されたタイマー値に基づく測定周期Tm（Msmnt interval）で、測定を行って測定結果を記録する（Measurement logging）（Ｓｔｅｐ  １０３）。タイマーの開始タイミングは、無線基地局（eNB）３１からの通知（Ｓｔｅｐ  １０２）直後、あるいは、該通知から所定期間後、などが考えられる。
【０１０７】
無線端末（UE）３０は、報告周期Tr（Report interval）のタイマーが満了すると（Ｓｔｅｐ  １０４）、測定ステータス報告（Measurement status report）として自無線端末のバッテリ残量を報告する（Ｓｔｅｐ  １０５）。また、ともに送信バッファ状況（Buffer Status）を通知しても良い。
【０１０８】
無線基地局（eNB）３１は、測定ステータス報告（Measurement status report）に基づいて、無線端末（UE）３０のバッテリ残量が所定の閾値以上であるかの判定を行う（Re-config decision）（Ｓｔｅｐ  １０６）。
【０１０９】
無線端末（UE）３０のバッテリ残量が所定の閾値以上である場合、測定周期Tm（Msmnt interval Tm）と報告周期Tr（Report interval Tr）とをそのままにする。一方、無線端末（UE）３０のバッテリ残量が所定の閾値未満である場合、測定周期Tm（Msmnt interval Tm）と報告周期Tr（Report interval Tr）とより長い周期である新たな測定周期Tm’（Msmnt interval Tm’> Tm）と報告周期Tr’（Report interval Tr’> Tr）とを決定する。そして、これらの周期の再設定の指示（Measurement logging and reporting reconfiguration）と記録した測定結果の報告を行う無線リソース（UL grant）を通知する（Ｓｔｅｐ  １０７）。
【０１１０】
無線端末（UE）３０は、受信した無線リソースで測定ログ報告（Measurement log report）を、無線基地局（eNB）３１に送信する（Ｓｔｅｐ  １０８）。そして、無線基地局（eNB）３１は、受信した測定ログ報告を、NM３２に送信する（Log report）（Ｓｔｅｐ  １０９）。
【０１１１】
一方、再設定通知を受信した場合、無線端末（UE）３０は、通知された新たな測定周期Tm’（Msmnt interval Tm’）と報告周期Tr’（Report interval Tr’）とを再設定し、以降はそれらの周期で測定及び報告を行う（Ｓｔｅｐ  １１０）。
【０１１２】
これにより、無線端末の負荷を大きく（過剰に）することなく、測定および報告を行わせることができる。
【０１１３】
尚、上述した説明では、測定ステータス報告（Measurement status report）のトリガを測定ログ報告のトリガがかかるタイミングとして説明したが、これに限られない。例えば、測定ステータス報告（Measurement status report）のタイミングを、周期的あるいはイベントトリガ等の方法により、独自に設定してもよい。さらに、イベントトリガの場合、イベントは測定ログ報告で用いるものと同じでも、異なっていてもよい。
【０１１４】
また、上述した説明では、測定ステータス報告の後に測定ログ報告を行っていたが、測定ステータス報告と同時に測定ログ報告を部分的にしてもよい。
【０１１５】
さらに、上述した説明では、測定ログ報告（Measurement log report）が周期的な例を説明したが、測定ログ報告（Measurement log report）がイベントトリガの場合、バッテリ残量が少ない場合には、測定ログ報告（Measurement log report）のトリガをかかりにくくする。または、バッテリ残量が所定の閾値以上になるまで測定ログ報告（Measurement log report）をさせないように制御する。また、所定期間経過後もバッテリ残量が所定の閾値以上にならなければ、無線端末による測定を中止し、測定ログを廃棄させるように制御することもできる。
【０１１６】
なお、図７では、NM３２が無線基地局（eNB）３１に測定方針（Measurement policy）を通知する（policy indication）タイミングとして、端末能力報告（UE capability report）の受信後となっているが、これに限定されたものではなく端末能力報告（UE capability report）の受信前など他のタイミングであってもよい。また、無線基地局（eNB）３１が測定方針（Measurement policy）を予め保持していればよく、保持する場合は測定方針（Measurement policy）を通知する（policy indication）ことは必須ではない。
【０１１７】
図８は、第２の実施の形態の具体的な動作を説明する為の別のシーケンス図である。本実施の形態では、図７の例と同様に、無線端末（UE）３０による測定、報告が無線基地局（eNB）３１から通知されるタイマーに基づいて周期的に行われるものとする。また、測定ステータス報告（Measurement status report）をするトリガを、測定ログ報告のトリガがかかるタイミング、つまり、測定ログ報告用のタイマーが切れた時点とする。
【０１１８】
図７の例との違いは、無線端末（UE）３０のバッテリ残量が所定値未満の場合、無線基地局（eNB）が、無線端末（UE）３０に測定及び報告を中止させる点である。
【０１１９】
NM３２、無線基地局（eNB）３１、無線端末（UE）３０のそれぞれによる動作であるＳｔｅｐ１００〜１０５は、図７の同様である。無線基地局（eNB）３１は、測定ステータス報告（Measurement status report）を受信後、該無線端末（UE）３０のバッテリ残量が所定値未満であることを認識すると、測定および報告を中止させることを決定し（Re-config decision）（Ｓｔｅｐ１１１）、測定中止通知（Measurement cancel）を行う（Ｓｔｅｐ１１２）。無線端末（UE）３０は、測定中止通知（Measurement cancel）を受信した場合、設定した測定方法及び報告方法をクリアし、測定及び報告を中止する（Clear measurement configuration）（Ｓｔｅｐ１１３）。
【０１２０】
なお、無線基地局（eNB）３１は、測定のみを中止させ、既に保有している測定ログは報告させるようにしてもよく、この場合、無線端末（UE）３０は該保有している測定ログのみ報告後、測定および報告を中止する。
【０１２１】
なお、図８においても、図７同様にNM３２が無線基地局（eNB）３１に測定方針（Measurement policy）を通知する（policy indication）タイミングとして、端末能力報告（UE capability report）の受信後となっているが、これに限定されたものではなく端末能力報告（UE capability report）の受信前など他のタイミングであってもよい。また、無線基地局（eNB）３１が測定方針（Measurement policy）を予め保持していればよく、保持する場合は測定方針（Measurement policy）を通知する（policy indication）ことは必須ではない。
【０１２２】
次に、無線端末（UE）の動作を説明する。
【０１２３】
図９は無線端末（UE）３０の動作フローチャートである。
【０１２４】
まず、無線端末（UE）３０は、測定方法および報告方法の設定（Measurement logging and reporting configuration）を受信する（Ｓｔｅｐ  ２００）。
【０１２５】
無線端末（UE）３０は、通知された測定周期Tm（Msmnt interval Tm）のタイマー値で測定用のタイマーをスタートさせ、通知された報告周期Tr（Report interval Tr）で報告用のタイマーをスタートさせる（Ｓｔｅｐ  ２０１）。
【０１２６】
測定用のタイマーが満了した場合（Measurement timer expired?）（Ｓｔｅｐ  ２０２）、測定及び測位を行い（Perform measurement and localization）、再び測定用タイマーをスタートさせる（Restart measurement timer）（Ｓｔｅｐ  ２０３）。
【０１２７】
続いて、無線端末（UE）３０は、報告用のタイマーが満了した場合（Reporting timer expired?）（Ｓｔｅｐ  ２０４）、測定ステータス（Measurement status report）として自端末のバッテリ残量を報告し（Report remaining battery charge information）、バッファ状況も報告し（send buffer status report）、報告用タイマーをスタートさせる（Restart reporting timer）（Ｓｔｅｐ  ２０５）。
【０１２８】
無線ネットワーク側より、測定結果の記録（測定ログ）の報告の要求があった場合（Report requested by NW?）（Ｓｔｅｐ  ２０６）、測定結果の記録（測定ログ）の報告を行う（Report measurement log）（Ｓｔｅｐ  ２０７）。測定結果の記録（測定ログ）の報告の要求がない場合（例えば、キャンセル通知の受信や、測定ステータス報告から一定期間経過しても報告要求を受信しない等）は処理を中止する。
【０１２９】
タイマーの再設定の要求があった場合（Ｓｔｅｐ  ２０８）、測定周期及び報告周期の再設定を行う（Reconfigure and restart measurement timer and reporting timer）（Ｓｔｅｐ  ２０９）。
【０１３０】
次に、無線基地局（eNB）３１の動作を説明する。図１０は無線基地局（eNB）３１の動作フローチャートである。
【０１３１】
まず、無線基地局（eNB）３１は、測定方法および報告方法の設定を通知する（Measurement logging and reporting configuration）（Ｓｔｅｐ  ３００）。
【０１３２】
無線端末（UE）３０から測定ステータス（Measurement status report）としてバッテリ残量とバッファ状況の報告とがあった場合（Remaining battery charge and buffer status reported?）（Ｓｔｅｐ  ３０１）、無線端末（UE）３０に対する測定要求を中止するかを判定する（Cancel measurement request?）（Ｓｔｅｐ  ３０２）。測定要求を中止する場合、測定の中止のメッセージを送信する（Send measurement cancel message）（Ｓｔｅｐ  ３０３）。
【０１３３】
一方、測定を中止させない場合、無線端末（UE）３０の測定及び報告の再設定が必要か否かを判定する（Reconfiguration needed?）（Ｓｔｅｐ  ３０４）。必要ない場合、測定ログ報告用の上り無線リソースの情報（UL grant）を送信する（Send UL grant）（Ｓｔｅｐ  ３０７）。
【０１３４】
一方、無線端末（UE）３０の測定及び報告の再設定が必要な場合、測定用のタイマー又は報告用のタイマーのタイマー値を再設定する（Update measurement and/or reporting timer configuration）（Ｓｔｅｐ  ３０６）。そして、再設定した測定用のタイマー又は報告用のタイマーのタイマー値と、測定ログ報告用の上り無線リソースの情報を、無線端末（UE）に送信する（Send reconfiguration message and UL grant）（Ｓｔｅｐ  ３０６）。
【０１３５】
なお、本実施の形態におけるシーケンスの例における”Measurement cancel message”は、測定のみを中止させる場合と、測定と報告を中止させる場合の両方が考えられる。また、それらとは異なり、報告のみを中止させる場合（例えば、Log report cancel message）も考えられる。また、測定周期と報告周期の両方を同時に再設定する場合を想定したが、どちらか一方のみの再設定を行うようにしてもよい。
＜第３の実施の形態＞
第３の実施の形態を説明する。第３の実施の形態では、3GPP LTE （Long Term Evolution）のシステムを想定した場合について説明する。尚、無線端末、無線基地局、NMは同様な構成なので、異なる所を中心に説明する。本実施の形態では、無線端末による測定、報告が無線基地局から通知される条件に基づく、イベントトリガで行われるものとする。
【０１３６】
図１１は第３の実施の形態の動作を説明するシーケンス図である。
【０１３７】
第３の実施の形態は、測定ステータス（Measurement status）が測定ログのサマリー（例えば、ログの種類、測定した時刻や位置（GPS, Cell, TA, 屋外か屋内かの情報等）である場合を説明する。また、無線端末が測定ステータス報告（Measurement status report）をするトリガを、無線基地局から通知される絶対時刻（Absolute time）として説明する。そして、測定ステータスに基づいて、特定のログに限定して報告させる場合を説明する。
【０１３８】
まず、無線端末（UE）３０は、端末能力報告（UE capability report）を行う（Ｓｔｅｐ  ４００）。
【０１３９】
NM３２は、無線基地局（eNB）３１に測定方針（Measurement policy）を通知する（policy indication）（Ｓｔｅｐ  ４０１）。
【０１４０】
無線基地局（eNB）３１は、該policyに従い、無線端末（UE）３０に、測定および報告の指示（Measurement logging and reporting configuration）を出す（Ｓｔｅｐ  ４０２）。この指示には、例えば、BCCH error、PCCH error、RA failure、RLF、Serving Cellが所定の閾値より劣化した場合、Serving cellおよび／又はNeighbouring cellの品質（例えば、RSRP, RSRQ）などを測定して記録し、同時に位置情報および／又は時刻を取得して記録することの指示、及び測定ステータスを通知する時刻（Absolute time）を含んでいる。
【０１４１】
無線端末（UE）３０は、該指示に従い、測定のトリガがかかった場合、予め定められた情報を測定して結果を記録する（Measurement Logging (e.g. BCCH/PCCH error, RA failure, RLF, Serving Cell becomes worse than threshold)）（Ｓｔｅｐ  ４０３）。
【０１４２】
無線端末（UE）３０は、指示された時刻（Absolute time）になると、記録されている測定ログのサマリーを、送信バッファ状況と共に通知する（Measurement status report (logging summary) + Buffer Status Report）（Ｓｔｅｐ  ４０５）。なお、送信バッファ状況は、送らなくても良い。
【０１４３】
無線基地局（eNB）３１は、収集したログのサマリーから、測定および報告対象を限定させるかの判定を行う（Ｓｔｅｐ  ４０６）。そして、測定および報告対象を限定（変更）する場合、測定および報告対象の再設定の指示（Measurement logging and reporting reconfiguration）を、無線端末（UE）３０に送信する（Ｓｔｅｐ  ４０７）。なお、測定と報告の両方ではなく、どちらか一方のみを再設定するように指示をしても良い。
【０１４４】
測定および報告の再設定の指示（Measurement logging and reporting reconfiguration）を受信した無線端末（UE）３０は、対象となる測定ログを無線基地局（eNB）３１に報告する（Ｓｔｅｐ  ４０８）。そして、無線基地局（eNB）３１は、受信した測定ログを、NM３２に送信する（Log report）（Ｓｔｅｐ  ４０９）。
【０１４５】
これにより、無線端末の負荷を大きく（過剰に）することなく、測定および報告を行わせることができる。
【０１４６】
次に、無線端末（UE）３０の動作を説明する。図１２は無線端末（UE）３０の動作フローチャートである。
【０１４７】
なお、本実施の形態においても、第２の実施の形態と同様にNM３２が無線基地局（eNB）３１に測定方針（Measurement policy）を通知する（policy indication）タイミングとして、端末能力報告（UE capability report）の受信後となっているが、これに限定されたものではなく端末能力報告（UE capability report）の受信前など他のタイミングであってもよい。また、無線基地局（eNB）３１が測定方針（Measurement policy）を予め保持していればよく、保持する場合は測定方針（Measurement policy）を通知する（policy indication）ことは必須ではない。
【０１４８】
まず、無線端末（UE）３０は、測定方法および報告方法の設定（Measurement logging and reporting configuration）を受信する（Ｓｔｅｐ  ５００）。
【０１４９】
無線端末（UE）３０は、BCCH error 又はPCCH error 又はRA failure 又は RLFが起きた場合、あるいはServing Cellが所定の閾値よりも劣化した場合、指定された測定を行う動作を開始する（Start measurement triggered by BCCH error or PCCH error or RA failure or RLF or Serving Cell becomes worse than threshold）（Ｓｔｅｐ  ５０１）。
【０１５０】
それらのトリガのうち、いずれか１つでも該等した場合（Measurement triggered?）（Ｓｔｅｐ  ５０２）、指定された測定および測位を行い、測定結果と位置情報とを記録する（Log measurement result and perform localization）（Ｓｔｅｐ  ５０３）。
【０１５１】
次に、指定された測定ログ報告を行う時刻になったかを判定する（Time to report?）（Ｓｔｅｐ  ５０４）。報告時刻になった場合、まず測定ステータスとしてログのサマリーの報告を、送信バッファ状況と共に行う（Report measurement logging summary and send buffer status report）（Ｓｔｅｐ  ５０５）。なお、送信バッファ情報は、送らなくても良い。
【０１５２】
測定ステータス報告後、無線ネットワーク側（例えば、無線基地局）より、測定ログ報告の要求があった場合（Report requested by NW?）（Ｓｔｅｐ  ５０６）、再設定の要求があるかを確認する（Receive new configuration?）（Ｓｔｅｐ  ５０７）。再設定の要求があった場合、測定、測定結果の記録、報告方法などの再設定を行う（Update measurement, logging, and reporting configuration）（Ｓｔｅｐ  ５０８）。
【０１５３】
そして、再設定時に要求された測定ログを報告する（Report requested measurement log）（Ｓｔｅｐ  ５０９）。
【０１５４】
次に、無線基地局（eNB）３１の動作を説明する。図１３は無線基地局（eNB）３１の動作フローチャートである。
【０１５５】
まず、無線基地局（eNB）３１は、測定方法および報告方法の設定を通知する（Measurement logging and reporting configuration）（Ｓｔｅｐ  ６００）。
【０１５６】
無線端末（UE）３０から測定ステータス（Measurement status）としてログのサマリーとバッファ状況の報告とがあったかを判断する（Ｓｔｅｐ  ６０１）。ある場合には、該測定ステータスに基づき無線端末（UE）３０に対する測定要求をキャンセルするかを判定する（Cancel measurement request?）（Ｓｔｅｐ  ６０２）。測定要求をキャンセルする場合、測定のキャンセルのメッセージを送信する（Send measurement cancel message）（Ｓｔｅｐ  ６０３）。
【０１５７】
一方、測定要求をキャンセルしない場合、無線端末（UE）３０の測定及び報告の再設定が必要か否かを判定する（Reconfiguration needed?）（Ｓｔｅｐ  ６０４）。そして、無線端末（UE）３０の測定及び報告の再設定が必要な場合（Ｓｔｅｐ  ６０５、６０６、６０７）、再設定するための指示と、測定ログ報告の為の上り無線リソースの情報を通知する（Send reconfiguration message and UL grant）（Ｓｔｅｐ  ６０８）。
＜第４の実施の形態＞
第４の実施の形態を説明する。
【０１５８】
第４の実施の形態では、3GPP LTE （Long Term Evolution）のシステムを想定した場合について説明する。尚、無線端末、無線基地局、NMは同様な構成なので、異なる所を中心に説明する。本実施の形態では、無線端末による測定、報告が無線基地局から通知される条件に基づく、イベントトリガで行われるものとする。
【０１５９】
第４の実施の形態は、測定ステータス（Measurement status）がログの種類（logging type）と無線端末のバッテリ残量である場合を想定する。また、無線端末が測定ステータス報告（Measurement status report）をするトリガを、無線端末のログ量（amount of loggingあるいはUE memory usage）が所定の閾値を越えた場合として説明する。そして、測定ステータスに基づいて、バッテリ残量が少ない場合、優先度の高い種類のログだけを報告させる場合を説明する。
【０１６０】
図１４は第４の実施の形態の動作を説明するシーケンス図である。
【０１６１】
まず、無線端末（UE）３０は、端末能力報告（UE capability report）を行う（Ｓｔｅｐ  ７００）。
【０１６２】
NM３２は、無線基地局（eNB）３１に測定方針（Measurement policy）を通知する（policy indication）（Ｓｔｅｐ  ７０１）。
【０１６３】
無線基地局（eNB）３１は、該policyに従い、測定および報告の設定の指示（Measurement logging and reporting configuration）を、無線端末（UE）３０に出す（Ｓｔｅｐ  ７０２）。この時、無線端末が測定ステータス報告（Measurement status report）をするトリガとなる無線端末のログ量に対する所定の閾値も送る。なお、測定ログ報告が周期的な場合には、無線基地局（eNB）３１が測定ログを報告する報告周期（Report interval Tr）のタイマー値（timer value）を送る。
【０１６４】
無線端末（UE）３０は、通知された測定および報告に従い、測定を行って測定結果を記録する（Measurement logging）（Ｓｔｅｐ  ７０３）。このとき、必要に応じて測位を行い、位置情報も記録する。
【０１６５】
無線端末（UE）３０は、ログ量が所定の閾値以上になると（Ｓｔｅｐ  ７０４）、それをトリガに、ログの種類およびバッテリ残量を含む測定ステータス報告と送信バッファ状況の報告（Measurement status report (logging type and remaining battery charge) and buffer status report）として自無線端末のバッテリ残量を報告する（Ｓｔｅｐ  ７０５）。なお、送信バッファ状況は通知しなくても良い。
【０１６６】
無線基地局（eNB）３１は、測定ステータス（Measurement status report）に基づいて（例えば、無線端末（UE）３０のバッテリ残量が所定の閾値以上であるかどうかなど）、測定方法および／又は報告方法の再設定が必要かどうかを判断する（Re-config decision）（Ｓｔｅｐ  ７０６）。ここで、例えば、無線端末（UE）３０のバッテリ残量が所定の閾値以上である場合、測定方法や報告方法の設定の変更は行わない。一方、無線端末（UE）３０のバッテリ残量が所定の閾値未満である場合、無線基地局（eNB）３１は、優先度の高い種類の測定ログだけを報告させるよう再設定の指示をする（Measurement logging and reporting reconfiguration）（Ｓｔｅｐ  ７０７）。
【０１６７】
新たな再設定通知を受信しない無線端末（UE）３０は、測定ログを、無線基地局（eNB）３１に送信する（Measurement log report）（Ｓｔｅｐ  ７０８）。一方、新たな再設定通知を受信した無線端末（UE）３０は、優先度の高い報告を指示された種類のログに対してのみ、測定ログ報告（Measurement log report）を行う（Ｓｔｅｐ  ７０８）。そして、無線基地局（eNB）３１は、受信した測定ログの全て或いは部分的に、NM３２に送信する（Log report）（Ｓｔｅｐ  ７０９）。
【０１６８】
これにより、無線端末の負荷を大きく（過剰に）することなく、測定および報告を行わせることができる。
【０１６９】
なお、本実施の形態においても、第２の実施の形態と同様にNM３２が無線基地局（eNB）３１に測定方針（Measurement policy）を通知する（policy indication）タイミングとして、端末能力報告（UE capability report）の受信後となっているが、これに限定されたものではなく端末能力報告（UE capability report）の受信前など他のタイミングであってもよい。また、無線基地局（eNB）３１が測定方針（Measurement policy）を予め保持していればよく、保持する場合は測定方針（Measurement policy）を通知する（policy indication）ことは必須ではない。
【０１７０】
次に、無線端末（UE）の動作を説明する。
【０１７１】
図１５は無線端末（UE）３０の動作フローチャートである。
【０１７２】
まず、無線端末（UE）３０は、測定方法および報告方法の設定（Measurement logging and reporting configuration）を受信する（Ｓｔｅｐ  ８００）。
【０１７３】
無線端末（UE）３０は、例えば、BCCH errorや、PCCH error、RA failure、RLFのいずれかの条件に該当する（いずれかを検出する）と、該検出時に必要な指定された測定を行う動作を開始する（Ｓｔｅｐ  ８０１）。実際に、該条件のいずれか１つでも該当した場合、無線端末（UE）３０は、測定および測位を行い、測定結果と位置情報とをログとして記録する（Log measurement result and perform localization）（Ｓｔｅｐ  ８０２、８０３）。
【０１７４】
無線端末（UE）３０は、保有しているログ量が所定の閾値以上になると（Amount of logging exceeded threshold?）（Ｓｔｅｐ  ８０４）、測定ステータス（Measurement status）として自端末のバッテリ残量と保有するログの種類を報告し（Report remaining battery charge information and logging type）、同時に送信バッファ状況も報告する（send buffer status report）（Ｓｔｅｐ  ８０５）。
【０１７５】
無線ネットワーク側より、測定ログ報告の要求があり（Report requested by NW?）（Ｓｔｅｐ  ８０６, Yes）、再設定の通知がない場合には（Receive new configuration?）（Ｓｔｅｐ  ８０７, No）、測定ログ報告を行う（Report measurement log）（Ｓｔｅｐ  ８０９）。
【０１７６】
一方、無線ネットワーク側より、測定ログ報告の要求があり（Report requested by NW?）（Ｓｔｅｐ  ８０６, Yes）、再設定の通知を受信した場合には（Receive new configuration?）（Ｓｔｅｐ  ８０７, Yes）、指示に従い測定方法、測定結果の記録方法、報告方法を再設定する（Update measurement, logging, and reporting configuration）（Ｓｔｅｐ  ８０８）。そして、新たに指定された種類のログに関する測定ログ報告を行う（Report measurement log）（Ｓｔｅｐ  ８０９）。
【０１７７】
次に、無線基地局（eNB）３１の動作を説明する。図１６は無線基地局（eNB）３１の動作フローチャートである。
【０１７８】
まず、無線基地局（eNB）３１は、測定方法および報告方法の設定を通知する（Measurement logging and reporting configuration）（Ｓｔｅｐ  ９００）。
【０１７９】
無線端末（UE）３０から測定ステータス（Measurement status）としてバッテリ残量と保有するログの種類の報告と、バッファ状況の報告とがあった場合（Remaining battery charge, logging types and buffer status reported?）（Ｓｔｅｐ  ９０１, Yes）、無線端末（UE）３０に対する測定要求を中止するかを判定する（Cancel measurement request?）（Ｓｔｅｐ  ９０２）。測定要求を中止する場合、測定の中止のメッセージを送信する（Send measurement cancel message）（Ｓｔｅｐ  ９０３）。
【０１８０】
一方、測定を中止させない場合、無線端末（UE）３０の測定方法及び報告方法の再設定が必要か否かを判定する（Reconfiguration needed?）（Ｓｔｅｐ  ９０４）。必要ない場合、測定ログ報告用の上り無線リソース情報を送信する（Send UL grant）（Ｓｔｅｐ  ９０８）。
【０１８１】
一方、無線端末（UE）３０の測定及び報告の再設定が必要な場合、報告させるログの種類、測定方法および／又は報告方法などを再設定する（Decide log type(s) to be reported, Update measurement, logging, and/or reporting configuration）（Ｓｔｅｐ  ９０５、９０６）。そして、再設定の指示と、測定ログ報告用の上り無線リソース情報を無線端末（UE）に送信する（Send reconfiguration message and UL grant）（Ｓｔｅｐ  ９０７）。
＜第５の実施の形態＞
第５の実施の形態を説明する。
【０１８２】
第５の実施の形態では、3GPP LTE （Long Term Evolution）のシステムを想定した場合について説明する。尚、無線端末、無線基地局、NMは同様な構成なので、異なる所を中心に説明する。本実施の形態では、無線端末による測定、報告が無線基地局から通知されるタイマーに基づいて周期的に行われるものとする。上述の実施の形態との大きな違いは、無線端末が自らの状態に基づいて、測定方法および／又は報告方法の再設定を要求する点である。
【０１８３】
図１７は、第５の実施の形態の具体的な動作を説明する為のシーケンス図である。
【０１８４】
まず、無線端末（UE）３０は、端末能力報告（UE capability report）を行う（Ｓｔｅｐ  １０００）。
【０１８５】
NM３２は、無線基地局（eNB）３１に測定方針（Measurement policy）を通知する（policy indication）（Ｓｔｅｐ  １００１）。
【０１８６】
無線基地局（eNB）３１は、該policyに従い、測定方法および報告方法の設定の指示（Measurement logging and reporting configuration）を、無線端末（UE）３０に出す（Ｓｔｅｐ  １００２）。この時、無線基地局（eNB）３１は、無線端末による測定周期（Msmnt interval Tm）のタイマー値（timer value）Tmと、ログを報告する報告周期（Report interval Tr）のタイマー値（timer value）Trとを送る。
【０１８７】
無線端末（UE）３０は、指示された測定方法および報告方法に従い、通知されたタイマー値に基づく測定周期Tm（Msmnt interval）で、指定された測定を行って測定結果を記録する（Measurement logging）（Ｓｔｅｐ  １００３）。タイマーの開始タイミングは、無線基地局（eNB）３１からの通知（Ｓｔｅｐ  １００２）直後、あるいは、該通知から所定期間後、などが考えられる。
【０１８８】
無線端末（UE）３０は、報告周期Tr（Report interval）のタイマーが満了すると（Ｓｔｅｐ  １００４）、自無線端末のバッテリ残量などの測定ステータス報告（Measurement status report）と送信バッファ状況報告（Buffer status report）を行う（Ｓｔｅｐ  １００５）。このとき、無線端末（UE）３０は、要求された測定および／又は報告を行うことで自身の負荷が大きくなると判断した場合、それを軽減するための測定方法および／又は報告方法の再設定の要求（例えば、測定および／又は報告の周期を長くする）を行う（Measurement reconfiguration request）。
【０１８９】
無線基地局（eNB）３１は、測定ステータス報告（Measurement status report）を基に無線端末（UE）３０のバッテリ残量が所定の閾値以上であるかの判定を行い、さらに、再設定の要求（Measurement reconfiguration request）に基づいて、実際に測定方法および／又は報告方法の再設定を行うかどうかを判断する（Re-config decision）（Ｓｔｅｐ  １００６）。無線端末（UE）３０のバッテリ残量が所定の閾値以上である場合、測定周期Tm（Msmnt interval Tm）と報告周期Tr（Report interval Tr）の再設定を行わず、バッテリ残量が所定の閾値未満である場合、測定周期Tm（Msmnt interval Tm）と報告周期Tr（Report interval Tr）とより長い周期である新たな測定周期Tm’（Msmnt interval Tm’> Tm）と報告周期Tr’（Report interval Tr’> Tr）とを決定し、再設定を行う。あるいは、バッテリ残量が所定の閾値以上であっても、無線端末（UE）３０からの再設定の要求を考慮して、測定周期および／又は報告周期をやや長く設定するようにしてもよい（例えば、Tm’> Tm’’> Tm, Tr’ > Tr’’>Tr）。そして、再設定を行う場合、再設定の指示（Measurement logging and reporting reconfiguration）と記録した測定結果の報告を行う無線リソース（UL grant）を通知する（Ｓｔｅｐ  １００７）。
【０１９０】
無線端末（UE）３０は、受信した無線リソースで測定ログ報告（Measurement log report）を、無線基地局（eNB）３１に送信する（Ｓｔｅｐ  １００８）。そして、無線基地局（eNB）３１は、受信した測定ログ報告を、NM３２に送信する（Log report）（Ｓｔｅｐ  １００９）。
【０１９１】
一方、再設定通知を受信した場合、無線端末（UE）３０は、通知された新たな測定周期Tm’（Msmnt interval Tm’）と報告周期Tr’（Report interval Tr’）とを再設定し、以降はそれらの周期で測定及び報告を行う（Ｓｔｅｐ  １１００）。
【０１９２】
これにより、無線端末の負荷を大きく（過剰に）することなく、測定や報告などを行わせることができる。ここで、無線端末による再設定の要求は、本実施の形態に示したように測定および／又は報告の周期を長くする要求の他に、報告タイミングを一定期間後にする、通信状態が改善したら報告する、なども考えられる。
【０１９３】
尚、上述した説明では、測定ステータス報告（Measurement status report）のトリガを測定ログ報告のトリガがかかるタイミングとして説明したが、これに限られない。例えば、測定ステータス報告（Measurement status report）のタイミングを、周期的あるいはイベントトリガ等の方法により、独自に設定してもよい。さらに、イベントトリガの場合、イベントは測定ログ報告で用いるものと同じでも、異なっていてもよい。
【０１９４】
また、本実施の形態においても、第２の実施の形態と同様にNM３２が無線基地局（eNB）３１に測定方針（Measurement policy）を通知する（policy indication）タイミングとして、端末能力報告（UE capability report）の受信後となっているが、これに限定されたものではなく端末能力報告（UE capability report）の受信前など他のタイミングであってもよい。また、無線基地局（eNB）３１が測定方針（Measurement policy）を予め保持していればよく、保持する場合は測定方針（Measurement policy）を通知する（policy indication）ことは必須ではない。
＜第５の実施の形態の変形例＞
図１８は、第５の実施の形態の変形例の具体的な動作を説明する為のシーケンス図である。第５の実施の形態との違いは、無線端末が自身の負荷が大きくなると判断した場合、無線基地局に対して、測定および／報告の中止を要求する点である。
【０１９５】
図１８において、Ｓｔｅｐ１０００〜１００４までは、図１７と同様である。
【０１９６】
無線端末（UE）３０は、測定ログ報告のトリガ（本実施の形態では報告用タイマーの満了）がかかった場合、例えばバッテリ残量などの情報を含む測定ステータス報告（Measurement status report）を行う。このとき、さらに設定された測定方法および／又は報告方法では負荷が大きくなると判断した場合、無線基地局（eNB）３１に対して、測定中止の要求を行う（Measurement cancel request）（Ｓｔｅｐ１０１０）。
【０１９７】
無線基地局（eNB）３１は、該測定中止の要求を受信した場合、同じく受信した測定ステータス報告の内容も考慮しつつ、無線端末（UE）３０による測定を中止させるかを判断する（Ｓｔｅｐ１０１１）（Re-config decision）。中止させると判断した場合、測定中止の通知を無線端末（UE）３０に送信する（Measurement cancel）（Ｓｔｅｐ１０１２）。
【０１９８】
無線端末（UE）３０は、該測定中止の通知を受信後、測定方法および報告方法の設定をクリアし、測定および報告を中止する（Clear measurement configuration）（Ｓｔｅｐ１０１３）。
【０１９９】
これにより、無線端末の負荷を大きく（過剰に）することなく、測定や報告などを行わせることができる。
【０２００】
また、本実施の形態においても、第２の実施の形態と同様にNM３２が無線基地局（eNB）３１に測定方針（Measurement policy）を通知する（policy indication）タイミングとして、端末能力報告（UE capability report）の受信後となっているが、これに限定されたものではなく端末能力報告（UE capability report）の受信前など他のタイミングであってもよい。また、無線基地局（eNB）３１が測定方針（Measurement policy）を予め保持していればよく、保持する場合は測定方針（Measurement policy）を通知する（policy indication）ことは必須ではない。
＜第６の実施の形態＞
図１９は、第６の実施の形態における無線通信システムの構成図である。
【０２０１】
UE(DM client)６００が無線端末（UE）３０に相当し、DM（Device Management）server６０１が無線基地局（eNB）３１に相当し、NM（Network Manager）６０２がNM（Network Manager）３２に相当する。そして、各部は上述した無線端末（UE）３０、無線基地局（eNB）３１、NM（Network Manager）３２と同様な動作を行う。
【０２０２】
すなわち、NM（Network Manager）６０２は、DM（Device Management）server６０１に、測定、測定結果の記録、該記録の報告の方針を通知する（Policy indication）。DM server６０１は、DM clientであるUE６００に、測定・記録・報告方法を通知する（Measurement, logging and reporting configuration）。UE６００は、DM server６０１に測定結果の記録（ログ）・端末状況を報告し、DM server６０１はUE６００から報告された測定ログの全てあるいは一部を、上位のNM６０２に報告する（Log report）。
【０２０３】
ここで、上述した本発明では、無線端末それぞれにとって負荷が過剰になる場合には測定・報告をさせないことがポイントである。このとき、全端末が同じ状況の場合にはそれら全端末に測定および／又は報告をさせないという方法も考えられる。報告に関しては、端末状況が良くなった時点（例えば、通信品質が良い、バッテリが所定値まで回復）で報告をさせれば良い。しかし、測定は、基本的に指定した時点や場所で行うことに意味があるため、端末状況が良くなった時点では意味を成さない場合もある。そのため、測定に関しては、端末間で優先度をつけて負荷が過剰になるが測定を指示する必要もある。ただし、一部の端末に長期間に測定させるのではなく、端末間で負荷を分散させる。
【０２０４】
なお、上述の実施の形態はすべて、測定および報告のＰｏｌｉｃｙが上位ネットワークノード（NM）から無線基地局（eNB）に通知されていたが、これに限定されるものではない。例えば、無線基地局（eNB）が自身で決定して設定してもよいし、NMから通知されたものを考慮しつつ、それを変更してもよい。
【０２０５】
さらに、上述の実施の形態はすべて、測定方法および報告方法の設定の通知を行った無線基地局の配下（セル）で、無線端末が実際に測定および報告を行う場合の例を示したが、本発明の適用範囲は、これに限られるものではない。例えば、測定方法および報告方法の設定を通知した無線基地局のセルから、他の無線基地局のセルに移動した後でも、当該設定が有効である限り、無線端末は上述の実施の形態のような動作を行うことが可能である。
【０２０６】
以上、上述の実施の形態では、基本的に３ＧＰＰ  ＬＴＥを想定していたが、本発明の適用対象はこれに限定されない。例えば、ＷＣＤＭＡ（Wideband Code Division Multiple Access）に代表されるＵＭＴＳ（Universal Mobile Telecommunication System）、WiMAX（Worldwide interoperability for Microwave Access）などにも適用可能である。
【０２０７】
また、上述した実施の形態では、各部をハードウェアで構成したが、上述した動作の処理を情報処理装置（ＣＰＵ）に行わせるプログラムによっても構成できる。
【０２０８】
以上好ましい実施の形態をあげて本発明を説明したが、本発明は必ずしも上記実施の形態に限定されるものではなく、その技術的思想の範囲内において様々に変形し実施することが出来る。
【０２０９】
以下に、付記を記載する。
【０２１０】
［付記１］  無線端末による測定情報の収集及び前記測定情報の無線ネットワークへの報告の少なくともいずれか一方に関する設定情報を無線端末に通知する設定通知手段と、
前記無線端末による前記測定情報の収集及び報告の少なくとも一方に関連するステータスを前記無線ネットワークへ通知するステータス通知手段と、
前記ステータスを受信し、前記設定情報を再設定するか否かを判定する再設定手段と
を有する無線通信システム。
【０２１１】
［付記２］  前記ステータスが、無線端末の状態に関する情報、及び測定情報の収集状況に関する情報の少なくともいずれかである
付記１に記載の無線通信システム。
【０２１２】
［付記３］  前記ステータスは、前記設定情報の再設定を目的として送信される
付記１又は付記２のいずれかに記載の無線通信システム。
【０２１３】
［付記４］  再設定された設定情報により、前記収集及び前記報告の少なくともいずれか一方を実行する測定実行手段を有する
付記１から付記３のいずれかに記載の無線通信システム。
【０２１４】
［付記５］  前記無線端末の状態に関する情報が、無線端末のバッテリ残量、無線端末の位置情報、無線端末の測位用電波（ＧＰＳ電波）の受信強度、無線端末の通信品質、及び無線端末の移動速度、の少なくともいずれか、又はそれらの組み合わせである
付記２から付記４のいずれかに記載の無線通信システム。
【０２１５】
［付記６］  前記測定情報の収集状況に関する情報が、無線端末が収集した測定情報の種類、無線端末が収集した測定情報の量、無線端末が収集した測定情報のサマリー、及び無線端末の測位性能情報の少なくともいずれか、又はそれらの組み合わせである
付記２から付記５のいずれかに記載の無線通信システム。
【０２１６】
［付記７］  前記測定情報のサマリーが、前記測定情報の種類、該測定情報の種類それぞれの測定回数、測定時刻、及び測定した時点の無線端末の位置情報の少なくともいずれか、又はそれらの組み合わせである
付記６に記載の無線通信システム。
【０２１７】
［付記８］  前記再設定手段は、前記測定情報の収集及び／又は前記測定情報の報告の周期、前記測定情報の収集及び／又は前記測定情報の報告のトリガ、収集する前記測定情報の種類及び／又は報告する前記測定情報の種類、及び、前記測定情報の収集量及び／又は報告する前記測定情報の量の少なくともいずれか、又はそれらの組み合わせを再設定する
付記１から付記７のいずれかに記載の無線通信システム。
【０２１８】
［付記９］  前記ステータス通知手段は、周期的な前記測定情報の収集及び／又は報告のタイミング、所定のトリガによる前記測定情報の収集及び／又は報告のタイミング、前記無線ネットワークから予め設定されたタイミング、又は、前記ステータス通知用の所定のイベントが発生したタイミング、のいずれかで、前記ステータスを通知する
付記１から付記８のいずれかに記載の無線通信システム。
【０２１９】
［付記１０］  前記ステータス通知手段は、前記ステータスの通知時に、前記測定情報の測定および／又は報告方法を指定する、又は、測定および／又は報告の中止を要求する
付記１から付記９のいずれかに記載の無線通信システム。
【０２２０】
［付記１１］  前記無線ネットワークは、無線基地局、基地局制御局、ＤＭ（Ｄｅｖｉｃｅ  Ｍａｎａｇｅｒ）、又は、ＮＭ（Ｎｅｔｗｏｒｋ  Ｍａｎａｇｅｒ）の少なくともいずれかを含む
付記１から付記１０のいずれかに記載の無線通信システム。
【０２２１】
［付記１２］  前記ステータスが、前記設定情報の再設定の要否を判断させることを目的として送信される
付記１から付記１１のいずれかに記載の無線通信システム。
【０２２２】
［付記１３］  前記ステータスが、前記無線端末の状況を考慮させることを目的として送信される
付記１から付記１２のいずれかに記載の無線通信システム。
【０２２３】
［付記１４］  前記ステータスが、前記無線端末による情報収集に関連する状況を考慮させることを目的として送信される
付記１から付記１３のいずれかに記載の無線通信システム。
【０２２４】
［付記１５］  無線端末による測定情報の収集及び報告の少なくとも一方に関連するステータスを通知するステータス通知手段と、
前記ステータスを受信し、前記無線端末による測定情報の収集及び前記測定情報の無線ネットワークへの報告の少なくともいずれか一方を制御する制御手段と
を有する無線通信システム。
【０２２５】
［付記１６］  測定情報の収集及び前記測定情報の無線ネットワークへの報告の少なくともいずれか一方に関する設定情報を受信する受信手段と、
自端末による前記測定情報の収集及び報告の少なくとも一方に関連するステータスを、前記無線ネットワークに通知するステータス通知手段とを含み、
前記受信手段は、前記ステータスを受信した前記無線ネットワークにより再設定された設定情報が前記無線ネットワークから送信された場合に、該設定情報を受信する無線端末。
【０２２６】
［付記１７］  前記ステータスが、無線端末の状態に関する情報、及び測定情報の収集状況に関する情報の少なくともいずれかである
付記１６に記載の無線端末。
【０２２７】
［付記１８］  前記ステータスは、前記設定情報の再設定を目的として送信される
付記１６又は付記１７のいずれかに記載の無線端末。
【０２２８】
［付記１９］  再設定された設定情報により、前記収集及び前記報告の少なくともいずれか一方を実行する測定実行手段を有する
付記１６から付記１８のいずれかに記載の無線端末。
【０２２９】
［付記２０］  前記無線端末の状態に関する情報が、無線端末のバッテリ残量、無線端末の位置情報、無線端末の測位用電波（ＧＰＳ電波）の受信強度、無線端末の通信品質、及び無線端末の移動速度、の少なくともいずれか、又はそれらの組み合わせである
付記１７から付記１９のいずれかに記載の無線端末。
【０２３０】
［付記２１］  前記測定情報の収集状況に関する情報が、無線端末が収集した測定情報の種類、無線端末が収集した測定情報の量、無線端末が収集した測定情報のサマリー、及び無線端末の測位性能情報の少なくともいずれか、又はそれらの組み合わせである
付記１７から付記２０のいずれかに記載の無線端末。
【０２３１】
［付記２２］  前記測定情報のサマリーが、前記測定情報の種類、該測定情報の種類それぞれの測定回数、測定時刻、及び測定した時点の無線端末の位置情報の少なくともいずれか、又はそれらの組み合わせである
付記２１に記載の無線端末。
【０２３２】
［付記２３］  前記受信手段は、前記測定情報の収集及び／又は前記測定情報の報告の周期、前記測定情報の収集及び／又は前記測定情報の報告のトリガ、収集する前記測定情報の種類及び／又は報告する前記測定情報の種類、及び、前記測定情報の収集量及び／又は報告する前記測定情報の量の少なくともいずれか、又はそれらの組み合わせを再設定された前記再設定情報を受信する
付記１６から付記２２のいずれかに記載の無線端末。
【０２３３】
［付記２４］  前記ステータス通知手段は、周期的な前記測定情報の収集及び／又は報告のタイミング、所定のトリガによる前記測定情報の収集及び／又は報告のタイミング、前記無線ネットワークから予め設定されたタイミング、又は、前記ステータス通知用の所定のイベントが発生したタイミング、のいずれかで、前記ステータスを通知する
付記１６から付記２３のいずれかに記載の無線端末。
【０２３４】
［付記２５］  前記ステータス通知手段は、前記ステータスの通知時に、前記測定情報の測定および／又は報告方法を指定する、又は、測定および／又は報告の中止を要求する
付記１６から付記２４のいずれかに記載の無線端末。
【０２３５】
［付記２６］  前記無線ネットワークは、無線基地局、基地局制御局、ＤＭ（Ｄｅｖｉｃｅ  Ｍａｎａｇｅｒ）、又は、ＮＭ（Ｎｅｔｗｏｒｋ  Ｍａｎａｇｅｒ）の少なくともいずれかを含む
付記１６から付記２５のいずれかに記載の無線端末。
【０２３６】
［付記２７］  前記ステータスが、前記設定情報の再設定の要否を判断させることを目的として送信される
付記１６から付記２６のいずれかに記載の無線端末。
【０２３７】
［付記２８］  前記ステータスが、前記無線端末の状況を考慮させることを目的として送信される
付記１６から付記２７のいずれかに記載の無線端末。
【０２３８】
［付記２９］  前記ステータスが、前記無線端末による情報収集に関連する状況を考慮させることを目的として送信される
付記１６から付記２８のいずれかに記載の無線端末。
【０２３９】
［付記３０］  無線ネットワークが無線端末による測定情報の収集及び前記測定情報の無線ネットワークへの報告の少なくともいずれか一方を制御する無線システムにおける無線端末であって、
自端末による前記測定情報の収集及び報告の少なくとも一方に関連するステータスを、前記無線ネットワークに通知するステータス通知手段
を有する無線端末。
【０２４０】
［付記３１］  無線端末による測定情報の収集及び前記測定情報の無線ネットワークへの報告の少なくともいずれか一方に関する設定情報を無線端末に通知し、
前記無線端末による前記測定情報の収集及び報告の少なくとも一方に関するステータスを前記無線ネットワークへ通知し、
前記ステータスを受信し、前記設定情報を再設定するか否かを判定する
無線通信方法。
【０２４１】
［付記３２］  前記ステータスが、無線端末の状態に関する情報、及び測定情報の収集状況に関する情報の少なくともいずれかである
付記３１に記載の無線通信方法。
【０２４２】
［付記３３］  前記ステータスを、前記設定情報の再設定を目的として送信する
付記３１又は付記３２のいずれかに記載の無線通信方法。
【０２４３】
［付記３４］  再設定した設定情報により、前記収集及び前記報告の少なくともいずれか一方を実行する
付記３１から付記３３のいずれかに記載の無線通信方法。
【０２４４】
［付記３５］  前記無線端末の状態に関する情報が、無線端末のバッテリ残量、無線端末の位置情報、無線端末の測位用電波（ＧＰＳ電波）の受信強度、無線端末の通信品質、及び無線端末の移動速度、の少なくともいずれか、又はそれらの組み合わせである
付記３２から付記３４のいずれかに記載の無線通信方法。
【０２４５】
［付記３６］  前記測定情報の収集状況に関する情報が、無線端末が収集した測定情報の種類、無線端末が収集した測定情報の量、無線端末が収集した測定情報のサマリー、及び無線端末の測位性能情報の少なくともいずれか、又はそれらの組み合わせである
付記３２から付記３５のいずれかに記載の無線通信方法。
【０２４６】
［付記３７］  前記測定情報のサマリーが、前記測定情報の種類、該測定情報の種類それぞれの測定回数、測定時刻、及び測定した時点の無線端末の位置情報の少なくともいずれか、又はそれらの組み合わせである
付記３６に記載の無線通信方法。
【０２４７】
［付記３８］  前記測定情報の収集及び／又は前記測定情報の報告の周期、前記測定情報の収集及び／又は前記測定情報の報告のトリガ、収集する前記測定情報の種類及び／又は報告する前記測定情報の種類、及び、前記測定情報の収集量及び／又は報告する前記測定情報の量の少なくともいずれか、又はそれらの組み合わせを再設定する
付記３１から付記３７のいずれかに記載の無線通信方法。
【０２４８】
［付記３９］  周期的な前記測定情報の収集及び／又は報告のタイミング、所定のトリガによる前記測定情報の収集及び／又は報告のタイミング、前記無線ネットワークから予め設定されたタイミング、又は、前記ステータス通知用の所定のイベントが発生したタイミング、のいずれかで、前記ステータスを通知する
付記３１から付記３８のいずれかに記載の無線通信方法。
【０２４９】
［付記４０］  前記ステータスの通知時に、前記測定情報の測定および／又は報告方法を指定する、又は、測定および／又は報告の中止を要求する
付記３１から付記３９のいずれかに記載の無線通信方法。
【０２５０】
［付記４１］  前記無線ネットワークは、無線基地局、基地局制御局、ＤＭ（Ｄｅｖｉｃｅ  Ｍａｎａｇｅｒ）、又は、ＮＭ（Ｎｅｔｗｏｒｋ  Ｍａｎａｇｅｒ）の少なくともいずれかを含む
付記３１から付記４０のいずれかに記載の無線通信方法。
【０２５１】
［付記４２］  前記ステータスが、前記設定情報の再設定の要否を判断させることを目的として送信される
付記３１から付記４１のいずれかに記載の無線通信方法。
【０２５２】
［付記４３］  前記ステータスが、前記無線端末の状況を考慮させることを目的として送信される
付記３１から付記４２のいずれかに記載の無線通信方法。
【０２５３】
［付記４４］  前記ステータスが、前記無線端末による情報収集に関連する状況を考慮させることを目的として送信される
付記３１から付記４３のいずれかに記載の無線通信方法。
【０２５４】
［付記４５］  無線端末による測定情報の収集及び報告の少なくとも一方に関連する無線端末のステータスを無線ネットワークへ通知し、
前記ステータスを受信し、前記無線端末による測定情報の収集及び前記測定情報の無線ネットワークへの報告の少なくともいずれか一方を制御する
無線通信方法。
【０２５５】
［付記４６］  無線端末による測定情報の収集及び前記測定情報の無線ネットワークへの報告の少なくともいずれか一方に関する設定情報を無線端末に通知する設定通知手段と、
前記無線端末による前記測定情報の収集及び報告の少なくとも一方に関連するステータスを、前記無線端末から受信し、前記設定情報を再設定するか否かを判定する再設定手段と
を有する無線ネットワーク。
【０２５６】
［付記４７］  無線端末による測定情報の収集及び前記測定情報の無線ネットワークへの報告の少なくともいずれか一方に関する設定情報を無線端末に通知する処理と、
前記無線端末による前記測定情報の収集及び報告の少なくとも一方に関連するステータスを前記無線端末から受信する処理と、
前記ステータスを受信し、前記設定情報を再設定するか否かを判定する処理と
を情報処理装置に実行させるプログラム。
【０２５７】
［付記４８］  無線ネットワークへ測定情報を送信する無線端末を含む無線通信システムにおいて、
前記無線端末は、
無線リンク切断に関する情報を保持していることを前記無線ネットワークへ通知する手段と、
前記無線ネットワークから前記無線リンク切断についての報告要求を受信する手段と、
前記無線リンク切断に関する情報として、信号の受信品質、無線端末の位置情報、無線端末の移動速度の少なくとも１つを、前記無線ネットワークに送信する手段と、
を有することを特徴とする無線通信システム。
【０２５８】
［付記４９］  無線ネットワークへ、測定情報を送信する無線端末であって、
無線リンク切断に関する情報を保持していることを前記無線ネットワークへ通知する手段と、
前記無線ネットワークから前記無線リンク切断についての報告要求を受信する手段と、
前記無線リンク切断に関する情報として、信号の受信品質、無線端末の位置情報、無線端末の移動速度の少なくとも１つを、前記無線ネットワークに送信する手段と、
を有することを特徴とする無線端末。
【０２５９】
［付記５０］  無線ネットワークへ測定情報を送信する無線端末の通信方法であって、
無線リンク切断に関する情報を保持していることを前記無線ネットワークへ通知し、
前記無線ネットワークから前記無線リンク切断についての報告要求を受信し、
前記無線リンク切断に関する情報として、信号の受信品質、無線端末の位置情報、無線端末の移動速度の少なくとも１つを、前記無線ネットワークに送信する、
ことを特徴とする通信方法。
【０２６０】
［付記５１］  無線端末から測定情報を受信する無線基地局であって、
前記無線端末から、無線リンク切断に関する情報を保持していることの通知を受信する手段と、
前記無線端末に対して、前記無線リンク切断についての報告要求を送信する手段と、
前記無線リンク切断に関する情報として、信号の受信品質、無線端末の位置情報、無線端末の移動速度の少なくとも１つを、前記無線端末から受信する手段と、
を有することを特徴とする無線基地局。
【０２６１】
本出願は、２０１０年１月７日に出願された日本出願特願２０１０−００２３６６号を基礎とする優先権を主張し、その開示の全てをここに取り込む。
【符号の説明】
【０２６２】
１          無線端末（UE）
２          無線ネットワーク
１１        記録／報告能力メモリ
１２        端末／ログ状況報告機能
１３        測定および測定結果記録機能
１４        測定報告機能
２１        OAM方針およびOAM要求の実施機能
２２        ログ保存機能
３０        無線端末
３１        無線基地局
３２        NM
６００      UE(DM client)
６０１      DM server
６０２      NM
【図１】
2020025316.tif 000003
【図２】
2020025316.tif 000004
【図３】
2020025316.tif 000005
【図４】
2020025316.tif 000006
【図５】
2020025316.tif 000007
【図６】
2020025316.tif 000008
【図７】
2020025316.tif 000009
【図８】
2020025316.tif 000010
【図９】
2020025316.tif 000011
【図１０】
2020025316.tif 000012
【図１１】
2020025316.tif 000013
【図１２】
2020025316.tif 000014
【図１３】
2020025316.tif 000015
【図１４】
2020025316.tif 000016
【図１５】
2020025316.tif 000017
【図１６】
2020025316.tif 000018
【図１７】
2020025316.tif 000019
【図１８】
2020025316.tif 000020
【図１９】
2020025316.tif 000021
【図２０】
2020025316.tif 000022
【図２１】
2020025316.tif 000023